(57)【要約】【課題】食器棚，本棚，陳列棚等の種々の収納家具における引戸において、特に引戸が戸締側端部に近接することで引戸が移動し、引戸の戸締側端部における閉状態が確実に行われる引戸の戸締装置を提供すること。【解決手段】平坦状案内面１ａの端部からほぼ直角となる固定用案内面１ｂが形成された固定案内部Ａ１  と係止部５と押圧部６とが形成された可動案内部Ａ２  とからなる戸締具Ａと、引戸用ガイド走行体Ｂに設けられ移動方向に沿って延出する軸部８ａの先端に被係合部８ｂが形成された案内部材８とからなること。前記可動案内部Ａ２  は、前記平坦状案内面１ａを弾性部材３を介して戸締方向に付勢されること。前記固定用案内面１ｂ個所では前記押圧部６を起立させて仮停止状態とされること。仮停止状態の可動案内部Ａ２  は起立状態の押圧部６が前記案内部材８の先端の押し倒しに伴って被係合部８ｂと前記係止部５とが係止されること。【選択図】      図１
2004176262.tif 000002
【特許請求の範囲】
【請求項１】
平坦状案内面の端部からほぼ直角となる固定用案内面が形成された固定案内部と，係止部と押圧部とが形成された可動案内部とからなる戸締具と、引戸用ガイド走行体に設けられ，移動方向に沿って延出する軸部の先端に被係合部が形成された案内部材とからなり、前記可動案内部は、前記平坦状案内面を弾性部材を介して戸締方向に付勢され、且つ前記固定用案内面個所では前記押圧部を起立させて仮停止状態とされ、前記仮停止状態の可動案内部は起立状態の押圧部が前記案内部材の先端の押し倒しに伴って被係合部と前記係止部とが係止されてなることを特徴とする引戸の戸締装置。
【請求項２】
請求項１において、前記固定案内部の固定ベースにおいて前記平坦状案内面と固定用案内面との間に円弧状案内面が形成され、前記可動案内部の係止部の裏面側には前記円弧状案内面とほぼ同一形状の円弧状窪み部が形成されてなることを特徴とする引戸の戸締装置。
【請求項３】
請求項１又は２において、前記案内部材は、引戸用ガイド走行体と着脱自在としてなることを特徴とする引戸の戸締装置。
【請求項４】
請求項１，２又は３において、前記案内部材又は戸締具の少なくともいずれか一方に衝撃緩衝用のストッパが装着され、該ストッパを介して当接するようにしてなることを特徴とする引戸の戸締装置。
【発明の詳細な説明】
【０００１】
【発明の属する技術分野】
本発明は、食器棚，本棚，陳列棚等の種々の収納家具における引戸において、特に引戸が戸締側端部に近接することで引戸が移動し、引戸の戸締側端部における締状態が確実に行われる引戸の戸締装置に関する。
【０００２】
【従来の技術】
従来より、下記特許文献１等に見られるような引戸装置が存在している。そして食器棚，本棚，陳列棚等の種々の収納家具には、ガラス窓を備えた引戸が装着されることが多い。この引戸は、小さい間口の収納家具であれば、間口箇所の上下にガイドレールが形成され、ガラス板の上下端部がそのガイドレールに挿入された極めて簡単な構造のものでよい。しかし、高級な家具では、引戸の開き及び締めの動作にも重厚，且つ上品であることが要求される。特に引戸の締状態では、引戸の戸締側端部が家具側の枠に正確に当接するようにしなければならない。
【０００３】
【特許文献１】
特開２００２−１３８７３９号
【０００４】
【発明が解決しようとする課題】
そこで、引戸を戸締側に移動させた場合に戸締側端部位置に近接するに従い、その引戸に戸締側への付勢力がかかり、引戸が戸締側端部位置まで誘導され、正確な締状態にする戸締装置が存在する。ところが、この種の戸締装置は構造が複雑であり、部品が多くなり、組立が面倒であり、且つ高価なものとなる。本発明は、戸締動作をアシストする装置を簡単な構造で、且つ組付等が簡単に行えるようにすることを目的する。
【０００５】
【課題を解決するための手段】
そこで、発明者は、上記課題を解決すべく、鋭意，研究を重ねた結果、本発明を、平坦状案内面の端部からほぼ直角となる固定用案内面が形成された固定案内部と，係止部と押圧部とが形成された可動案内部とからなる戸締具と、引戸用ガイド走行体に設けられ，移動方向に沿って延出する軸部の先端に被係合部が形成された案内部材とからなり、前記可動案内部は、前記平坦状案内面を弾性部材を介して戸締方向に付勢され、且つ前記固定用案内面個所では前記押圧部を起立させて仮停止状態とされ、前記仮停止状態の可動案内部は起立状態の押圧部が前記案内部材の先端の押し倒しに伴って被係合部と前記係止部とが係止されてなることを特徴とする引戸の戸締装置としたことにより、引戸が戸締側端部に近接することで引戸が移動し、引戸の戸締側端部における当接状態が確実に行われ、且つ装置全体の構造を簡単にすることができ、上記課題を解決したものである。
【０００６】
【発明の実施の形態】
以下、本発明の実施形態を図面に基づいて説明する。戸締具Ａは、図１，図２等に示すように、固定案内部Ａ１  と可動案内部Ａ２  とから構成される。前記固定案内部Ａ１  は、主に固定ベース１，取付部２、弾性部材３等から構成される。また可動案内部Ａ２  は、主に係止部５，押圧部６及び摺動部７とからなる。その固定案内部Ａ１  は、合成樹脂材，金属材等から形成されており、固定ベース１と取付部２とは隣接して一体形成されている。
【０００７】
その取付部２は、図２（Ａ）に示すように、ほぼ直方体状をなしており、後述するガイドレール１４に固定する部位となる。そのために、取付部２には、ビス等の固着具の取付用孔部２ａが形成されている。該取付用孔部２ａは円筒状をなし、その中心に孔が形成され、図２（Ｂ）に示すように、ビス等の固着具がねじ込まれるようになっている。また、取付部２の固定ベース１側には、固定ストッパ２ｂが装着されている。該固定ストッパ２ｂは、可動案内部Ａ２  が弾性部材３の弾性付勢力にて取付部２側に移動したときに、その衝撃を緩衝する役目をなすものでゴム材にて形成されている。
【０００８】
その固定ベース１は、図２（Ａ），（Ｂ），図５に示すように、平坦状案内面１ａと固定用案内面１ｂとから構成されており、平坦状案内面１ａの戸締側端より、該平坦状案内面１ａに対してほぼ直角の壁面状となるように固定用案内面１ｂが連続形成されたものである。前記平坦状案内面１ａは、平坦状の面に形成されている。そして、平坦状案内面１ａは、後述する可動案内部Ａ２  が弾性部材３を介して摺動するとともに、後述する引戸１５を戸締側に強制的に移動させる役目をなす。
【０００９】
また、固定用案内面１ｂは、前記平坦状案内面１ａに対してほぼ直角となる面である。なお、前記直角とは、その前後付近の角度も含まれる。この固定用案内面１ｂも平坦面（ほぼ平坦面も含む）である。その平坦状案内面１ａと固定用案内面１ｂとのなす角度を直角よりも僅かに鋭角となるようにすることで、可動案内部Ａ２  の固定用案内面１ｂ箇所での仮停止状態をより一層安定させることができる。
【００１０】
さらに、前記平坦状案内面１ａと固定用案内面１ｂとの間には、図２（Ａ），（Ｂ）に示すように、円弧状案内面１ｃが形成されることもある。該円弧状案内面１ｃは、前記平坦状案内面１ａと固定用案内面１ｂとの間において断面形状がほぼ（１／４）円とした面である。すなわち、図２（Ｂ）に示すように、その円弧状案内面１ｃは、中心角がほぼ直角（９０度内外）となる円弧状の面としたものである。この円弧状案内面１ｃは、可動案内部Ａ２  が平坦状案内面１ａから固定用案内面１ｂに移動するときに滑らかな動作で移動できるようにしたものである。ここで、引戸１５において前記戸開き側及び戸締側について説明すると、戸開き側とは、引戸１５によって家具本体の開口を開く場合の移動方向を示すものであり、戸締側とは、引戸１５によって家具本体の開口を締る場合の移動方向を示すものである。
【００１１】
前記固定ベース１の平坦状案内面１ａ，固定用案内面１ｂ及び円弧状案内面１ｃには、図２（Ａ），（Ｂ），（Ｃ）に示すように、案内用スリット１ｄが形成されている。該案内用スリット１ｄは、固定ベース１に形成された直線状の貫通した部位であり、前記平坦状案内面１ａから円弧状案内面１ｃを通して固定用案内面１ｂまで、連続且つ直線状に形成されている。その案内用スリット１ｄには可動案内部Ａ２  の後述する摺動部７が挿入し、固定ベース１の裏面側に装着された弾性部材３と連結している。その固定ベース１の裏面側は、図２（Ｂ）に示すように、弾性部材収納部４となっており、前記弾性部材３が収納される。該弾性部材３は、具体的にはコイルスプリングが使用され、前記固定案内部Ａ１  に対して可動案内部Ａ２  を戸締方向に常時付勢するものである。前記弾性部材収納部４には、軸状の固定フック４ａが形成されており、前記弾性部材３の他端を係止する役目をなす。
【００１２】
次に、可動案内部Ａ２  は、主に係止部５，押圧部６及び摺動部７とから構成されている。その係止部５は、後述する引戸用ガイド走行体Ｂに装着された案内部材８の被係止部８ｂと係止する部位である。その係止部５は、断面形状がほぼ台形山形状をなしており、その摺動方向における一端側に係止縁５ａが形成されている。該係止縁５ａは、具体的には、図２（Ａ），（Ｂ），図５などに示すように、その可動案内部Ａ２  が固定案内部Ａ１  に装着された状態で、前記取付部２に対向する側に突起形状に形成されることになる。
【００１３】
さらに、係止部５の裏面側には、凹み状の円弧状窪み部５ｂ１  が形成されている。該円弧状窪み部５ｂ１  は前記円弧状案内面１ｃとほぼ同一形状の凹みとしたもので、図５（Ａ）に示すように、円弧状窪み部５ｂ１  と円弧状案内面１ｃとがほぼ密着状に重合することができるようになっている。その円弧状窪み部５ｂ１  に連続して固定用ガイド面５ｂ２  が形成されている。その固定用ガイド面５ｂ２  は、平坦状な面であり、前記固定用案内面１ｂと面接触状態で当接する部位である。また、その係止部５の頂面５ｃは、平坦面に形成されている。
【００１４】
前記押圧部６は、図２（Ｂ），（Ｃ）に示すように、平坦板状に形成されたもので、可動案内部Ａ２  が固定案内部Ａ１  に装着された状態で、前記係止部５よりも取付部２側に形成されている。この押圧部６は、可動案内部Ａ２  が前記固定用案内面１ｂに仮停止した状態で、図５（Ａ）に示すように、平坦状案内面１ａに対して傾斜状に起立又は立ち上り状態となる部位である。そして、摺動部７は、前記係止部５と押圧部６の裏面側に形成されたもので、摺動突起片７ａとフック７ｂとから構成されている。
【００１５】
その摺動突起片７ａは、図２（Ｂ），（Ｃ）に示すように、前記案内用スリット１ｄに摺動自在に挿入される。その形状は摺動方向に沿って軸状に形成されたものである。さらに、フック７ｂは、弾性部材３の端部に連結されている。なお、可動案内部Ａ２  を固定ベース１の案内用スリット１ｄに装着するには、図１（Ａ）に示すように、案内用スリット１ｄに形成された拡大貫通孔１ｅを利用し、該拡大貫通孔１ｅ個所よりフック７ｂを差し込みつつ、摺動突起片７ａを挿入してゆくと簡単に組付けることができる。
【００１６】
戸締具Ａは、上述したように可動案内部Ａ２  が固定案内部Ａ１  の固定ベース１に沿って移動自在とし、前記弾性部材３により常時戸締側に向かって弾性的に付勢されるものであるが、その可動案内部Ａ２  が固定ベース１の固定用案内面１ｂに達したときには、図５（Ａ）に示すように、可動案内部Ａ２  の固定用ガイド面５ｂ２  が固定用案内面１ｂに当接し、前記弾性部材３の付勢力により、前記固定用案内面１ｂと固定用ガイド面５ｂ２  との間に反力Ｆが生じて、可動案内部Ａ２  が固定用案内面１ｂ箇所に安定した状態で仮停止することができる。
【００１７】
また、前記固定用ガイド面５ｂ２  と前記押圧部６とは鈍角をなしており、具体的な角度としては約１３５度をなしている。すなわち、可動案内部Ａ２  が固定用案内面１ｂ個所で仮停止した状態のときに、押圧部６が平坦状案内面１ａと約４５度の角度をなすようにすることになる。上記に示した角度は適宜に設定されるものであり、必ずしも上記角度に限定されるものではない。
【００１８】
上記可動案内部Ａ２  の仮停止については、可動案内部Ａ２  が固定用案内面１ｂに位置している状態で、前記弾性部材３による付勢力が可動案内部Ａ２  にかかり、該可動案内部Ａ２  が前記固定用案内面１ｂに停止状態を維持することができることをいう。したがって、可動案内部Ａ２  は、その係止部５の裏面側個所（固定用ガイド面５ｂ２  ）が固定用案内面１ｂに当接しつつ、前記弾性部材３の付勢力を受けることにより固定用案内面１ｂ個所で停止状態とすることができるようになっている。そして、可動案内部Ａ２  が固定用案内面１ｂ個所で仮停止状態にあるときは、図５（Ａ）に示すように、押圧部６が傾斜状に起立又は立ち上がった状態となる。
【００１９】
また、円弧状案内面１ｃが形成されている場合には、図５（Ａ）に示すように、該円弧状案内面１ｃと係止部５裏面側の円弧状窪み部５ｂ１  とが重合した状態となり、可動案内部Ａ２  の仮停止状態を安定させるとともに、該可動案内部Ａ２  が引戸１５を強制的に締める動作に滑らかに移動することができる。すなわち、可動案内部Ａ２  が弾性部材３の付勢により固定用案内面１ｂから平坦状案内面１ａを摺動して取付部２側に良好に移動できるものである。
【００２０】
次に、案内部材８は、図１（Ａ），図３（Ａ）に示すように、引戸用ガイド走行体Ｂに装着され，その移動方向に沿って延出する軸部８ａと，該軸部８ａの先端に形成された被係止部８ｂとから構成される案内部材８とからなり、戸締動作では前記固定用案内面１ｂに仮停止状態の可動案内部Ａ２  の押圧部６の押し倒しに伴って被係止部８ｂが前記係止部５に係合される。その軸部８ａは、具体的には帯板状に形成されており、また被係止部８ｂは、図３（Ａ）に示すように、鉤状となるように突出形成されている。
【００２１】
さらに、その軸部８ａには、図３（Ａ）に示すように、被係止部８ｂが形成されている側の反対側面に振止め突起部８ｅが形成されている。該振止め突起部８ｅは、半球状に形成されており、ガイドレール１４内を案内部材８が安定した状態で動作できるようにしたものである。その軸部８ａの長手方向において他端側（前記被係止部８ｂが形成されている側と長手方向に沿って反対側）には、連結基部８ｃが形成されている。
【００２２】
その案内部材８には、連結基部８ｃが形成されている。該連結基部８ｃは、引戸用ガイド走行体Ｂに装着するための連結部位であり、具体的には引戸用ガイド走行体Ｂの主要部位である走行部９に装着される。前記連結基部８ｃは、基部片８ｃ１  と２つの連結用腕状片８ｃ２  ，８ｃ２  が形成されている。前記基部片８ｃ１  は、前記軸部８ａとほぼ直角をなしている。そして、その基部片８ｃ１  の幅方向両側に前記連結用腕状片８ｃ２  ，８ｃ２  が形成されている。その基部片８ｃ１  には、可動ストッパ８ｄが装着されている。該可動ストッパ８ｄはゴム材にて形成され、前記戸締具Ａの固定案内部Ａ１  に衝突するときの衝撃を前記固定ストッパ２ｂとともに緩衝するものである。
【００２３】
その両連結用腕状片８ｃ２  ，８ｃ２  には、図４（Ａ）に示すように、対向する方向に係止爪８ｃ３  ，８ｃ３  が形成され、該係止爪８ｃ３  ，８ｃ３  が前記引戸用ガイド走行体Ｂの走行部９に形成された被係止縁９ｂに係止されるようになっている。具体的には、図４（Ｃ）に示すように、前記案内部材８を走行部９の長手方向端部に押しつけることで両連結用腕状片８ｃ２  ，８ｃ２  が相互に開き、その係止爪８ｃ３  ，８ｃ３  が両被係止縁９ｂに達すると、その復元力により両係止爪８ｃ３  ，８ｃ３  が両被係止縁９ｂに嵌まり、連結されるものである〔図４（Ｂ）参照〕。
【００２４】
このようにして引戸用ガイド走行体Ｂの走行部９と案内部材８とが着脱自在となっている。そして、案内部材８の軸部８ａの長さ寸法を異なる種々のものを備えておくことにより、引戸１５の強制戸締が開始される位置を適宜変化させることも可能である。また、引戸用ガイド走行体Ｂの走行部９と案内部材８との着脱構造は、上記の構造に限定されるものではなく、例えばビス，ボルト等の固着具を使用して案内部材８を装着する構造としてもよい。さらに、引戸用ガイド走行体Ｂの走行部９と案内部材８とは着脱自在な構造としないで、一体的に形成することもある。
【００２５】
前記引戸用ガイド走行体Ｂは、図９に示すように、引戸１５をガイドレール１４に沿って移動させるものである。そのガイドレール１４には、引戸１５の上方に位置するものと、引戸１５の下方に位置するものとがある。何れのガイドレール１４も、１本又は複数本のレール部１４ａ，１４ａが形成されたものである。これらのガイドレール１４のレール部１４ａ，１４ａは、全て下方にガイド用開口１４ａ１  が形成され、そのガイド用開口１４ａ１  の両側にレール部１４ａ２  ，１４ａ２  が形成されている。
【００２６】
前記引戸用ガイド走行体Ｂは、上部のガイドレール１４に対応するものは、ハングローラタイプで、走行部９にローラ１０が装着されている。さらに、走行部９の中心部９ａには、図１（Ａ）に示すように、高さ調整部材１２が装着されている。該高さ調整部材１２は、ガイドレール１４に対して引戸１５を上下方向に位置調整する役目をなす。その高さ調整部材１２を介して前記走行部９の下方に走行側連結部１１が設けられている。また、引戸１５の上部には、引戸側連結部１３が装着され、前記走行側連結部１１と引戸側連結部１３とが連結することにより、図１（Ｂ），図９（Ａ）等に示すように、上方側の引戸用ガイド走行体Ｂに引戸１５を吊り下げることができる。
【００２７】
また、引戸１５の下部側にも引戸用ガイド走行体Ｂが装着されている。該下部側の引戸用ガイド走行体Ｂは、図９（Ａ）に示すように、下部のガイドレール１４に装着されており、その走行部９には上部の引戸用ガイド走行体Ｂのようなローラ１０は装着されていない。そして、下部の引戸用ガイド走行体Ｂは、前記ガイドレール１４内を摺動する構造となっている。この下部側のガイドレール１４にも戸締具Ａが装着され、また下部側の引戸用ガイド走行体Ｂには案内部材８が設けられている。下部側の引戸用ガイド走行体Ｂに案内部材８を装着する構造は上部の引戸用ガイド走行体Ｂに案内部材８を装着する場合とほぼ同様である。
【００２８】
なお、上部のガイドレール１４に戸締具Ａが装着され、引戸用ガイド走行体Ｂに案内部材８が装着されている場合には、下部のガイドレール１４には、特に戸締具Ａを装着しなくてもよい。また、上部のガイドレール１４に本発明の戸締装置を装着しないで、下部のガイドレール１４に本発明の戸締装置を装着することもある。なお、図９（Ｂ）は、本発明の戸締装置が装着された引戸装置を有する家具を示したものである。
【００２９】
【作用】
次に、本発明における戸締装置による引戸の戸締及び戸開きのそれぞれの動作を説明する。まず引戸の戸締動作を図６，図７に基づいて説明すると、可動案内部Ａ２  は、初期状態で固定用案内面１ｂの位置に仮停止状態にある〔図６（Ａ）参照〕。そして、開き状態の引戸１５が戸締方向〔図６（Ａ），（Ｂ），（Ｃ）において右に移動する方向〕に移動すると、可動案内部Ａ２  に次第に近接し、案内部材８の先端（被係止部８ｂ個所）が可動案内部Ａ２  の押圧部６を押し倒すように働く〔図６（Ｂ），（Ｃ）参照〕。
【００３０】
そして、押圧部６が押し倒されるとともに、案内部材８の被係止部８ｂが係止部５の係止縁５ａに係止する〔図７（Ａ）参照〕。このとき、案内部材８の軸部８ａに形成された振止め突起部８ｅがガイドレール１４の内壁に当接することにより、軸部８ａは大きく振れることが防止されるので、係止部５の係止縁５ａと、可動案内部Ａ２  の被係止部８ｂとが確実に係止できる。
【００３１】
さらに、前記押圧部６が押し倒された瞬間に、可動案内部Ａ２  の固定用ガイド面５ｂ２  が固定用案内面１ｂから離れて可動案内部Ａ２  の固定用案内面１ｂからの仮停止状態が解除される。そして、可動案内部Ａ２  は、戸締方向に弾性付勢する弾性部材３により、戸締側に向かって移動する。引戸１５は、引戸用ガイド走行体Ｂに装着された案内部材８の被係止部８ｂが係止部５とは係止しているので、引戸１５は、弾性部材３の力により戸締側に強制的に移動し、戸締方向端部に到達して戸締動作を完了するものである〔図７（Ｂ）参照〕。
【００３２】
次に、引戸１５の戸開き動作を図８に基づいて説明する。まず可動案内部Ａ２  は、初期状態で戸締方向端部に位置しており、引戸用ガイド走行体Ｂに装着された案内部材８は可動案内部Ａ２  の係止部５の係止縁５ａに係止状態にある〔図８（Ａ）参照〕。そして、前記引戸１５を戸開き方向に移動させることで、引戸用ガイド走行体Ｂに装着された案内部材８が係止状態にある可動案内部Ａ２  を平坦状案内面１ａに沿って戸開き側へ強制的に移動させることになる〔図８（Ｂ）参照〕。
【００３３】
さらに、引戸１５を戸開き方向に移動させ、可動案内部Ａ２  を固定用案内面１ｂに到達させると、固定用ガイド面５ｂ２  が円弧状案内面１ｃを通過して、押圧部６が次第に起立又は立ち上がるようになる。そして、さらに引戸１５を戸開き側に沿って移動させることで、押圧部６が適正状態に傾斜し、且つ前記係止部５の係止縁５ａと案内部材８の被係止部８ｂとの係止が解除される。
【００３４】
このように可動案内部Ａ２  が平坦状案内面１ａから円弧状案内面１ｃを通過して固定用案内面１ｂに至る仮定において、前記弾性部材３の付勢力が作用し、可動案内部Ａ２  が円弧状案内面１ｃを通過して固定用案内面１ｂに達するときに固定用案内面１ｂと固定用ガイド面５ｂ２  との間に反力Ｆが生じて可動案内部Ａ２  が仮停止できる。引戸１５はさらに、そのまま開いてゆき、また可動案内部Ａ２  は、固定用案内面１ｂ個所にて仮停止状態となる〔図８（Ｃ）参照〕。
【００３５】
【発明の効果】
請求項１の発明は、平坦状案内面１ａの端部からほぼ直角となる固定用案内面１ｂが形成された固定案内部Ａ１  と，係止部５と押圧部６とが形成された可動案内部Ａ２  とからなる戸締具Ａと、引戸用ガイド走行体Ｂに設けられ，移動方向に沿って延出する軸部８ａの先端に被係合部８ｂが形成された案内部材８とからなり、前記可動案内部Ａ２  は、前記平坦状案内面１ａを弾性部材３を介して戸締方向に付勢され、且つ前記固定用案内面１ｂ個所では前記押圧部６を起立させて仮停止状態とされ、前記仮停止状態の可動案内部Ａ２  は起立状態の押圧部６が前記案内部材８の先端の押し倒しに伴って被係合部８ｂと前記係止部５とが係止されてなる引戸の戸締装置としたことにより、引戸１５が締方向端部に近接することで引戸１５が自然に移動し、引戸１５の締が確実に行われるし、その装置全体の構成を簡単な構造とすることができる等の効果を奏する。
【００３６】
上記効果を詳述すると、固定案内部Ａ１  には平坦状案内面１ａと固定用案内面１ｂからなる固定ベース１が形成され、前記固定用案内面１ｂで付勢方向に抗して仮停止する可動案内部Ａ２  が設けられているものであり、可動案内部Ａ２  の仮停止状態を保持するための構造を極めて簡単にすることができる。そして、前記平坦状案内面１ａに対して固定用案内面１ｂは、ほぼ直角なる関係にあり、固定用案内面１ｂを利用して可動案内部Ａ２  を仮停止状態とすることができるので、この仮停止状態は極めて安定したものである。
【００３７】
さらに可動案内部Ａ２  の仮停止を解除することも確実に行われるし、その反面引戸１５の動作時の振動などにても可動案内部Ａ２  は簡単に仮停止が解除されることなく、作動ミスが生じにくいものにでき、戸締動作のアシストが確実に行われる。また、本発明の装置は、固定本体部Ａ１  においてその平坦状案内面１ａと固定用案内面１ｂとがほぼ直角に形成さたのみの極めて簡単なものであり、且つその可動案内部Ａ２  が仮停止することができる構造も極めて簡単なものである。このような簡単な構造のものでありながら、動作は正確且つ確実もできるものである。
【００３８】
請求項２の発明は、請求項１において、前記固定案内部Ａ１  の固定ベース１において前記平坦状案内面１ａと固定用案内面１ｂとの間に円弧状案内面１ｃが形成され、前記可動案内部Ａ２  の係止部５の裏面側には前記円弧状案内面１ｃとほぼ同一形状の円弧状窪み部５ｂ１  が形成されてなる引戸の戸締装置としたことにより、可動案内部Ａ２  の動作をスムーズに行うことができる。
【００３９】
すなわち、円弧状案内面１ｃに対して可動案内部Ａ２  に円弧状窪み部５ｂ１  が形成されたものであり、可動案内部Ａ２  が平坦状案内面１ａから固定用案内面１ｂに移動するときに極めて滑らかに移動することができる。さらに、可動案内部Ａ２  の円弧状窪み部５ｂ１  と円弧状案内面１ｃが重合することで、仮停止から仮停止の解除に到る動作も良好にすることができる。
【００４０】
請求項３の発明は、請求項１又は２において、前記案内部材８は引戸用ガイド走行体Ｂと着脱自在としてなる引戸の戸締装置としたことにより、引戸１５が戸締具Ａによって強制的に戸締が開始される位置を調整することができる。上記効果を詳述すると、その案内部材８の軸部８ａを適宜の長さに変化させることにより、該軸部８ａの先端個所に形成された被係止部８ｂと戸締具Ａの可動案内部体Ａ２  の係止部５との係止する位置を変化させることがでる。これによって、戸締具Ａによる戸締開始の位置も変化させることができる。そこで、案内部材８の軸部８ａの長さが異なるものを数種のものを備えておくことで、引戸用ガイド走行体Ｂに装着する案内部材８を数種のものから適宜選択して使用すれば、引戸１５の戸締具Ａによる締開始位置を適宜に変化させることができる。
【００４１】
請求項４の発明は、請求項１，２又は３において、前記案内部材８又は戸締具Ａの少なくともいずれか一方に衝撃緩衝用のストッパが装着され、該ストッパを介して当接するようにしてなる引戸の戸締装置としたことにより、引戸１５の戸締時の衝撃を緩衝させることができる。
【図面の簡単な説明】
【図１】（Ａ）は案内部材が装着された引戸用ガイド走行体の斜視図
（Ｂ）は本発明の戸締装置が引戸に装着された状態の一部断面にした要部正面図
【図２】（Ａ）は戸締具の斜視図
（Ｂ）は（Ａ）のＸ１  −Ｘ１  矢視断面図
（Ｃ）は（Ａ）のＸ２  −Ｘ２  矢視断面図
【図３】（Ａ）は案内部材の斜視図
（Ｂ）は案内部材を別の方向から見た斜視図
（Ｃ）は引戸用ガイド走行体の斜視図
（Ｄ）は引戸用ガイド走行体に案内部材が装着された斜視図
【図４】（Ａ）は引戸用ガイド走行体と案内部材が分離した一部断面の正面図
（Ｂ）は引戸用ガイド走行体と案内部材を連結した一部断面の正面図
（Ｃ）は引戸用ガイド走行体に案内部材の連結個所の拡大断面図
【図５】（Ａ）は仮停止した可動案内部の拡大断面図
（Ｂ）は仮停止が解除された瞬間の拡大断面図
【図６】（Ａ）は引戸用ガイド走行体が戸締具に近接する状態の作用図
（Ｂ）は引戸用ガイド走行体の案内部材が可動案内部の押圧部に当接した状態の作用図
（Ｃ）は引戸用ガイド走行体の案内部材が可動案内部の押圧部に当接して押し倒している作用図
【図７】（Ａ）は案内部材の被係止部と係止部の係止縁が係止した作用図
（Ｂ）は引戸用ガイド走行体が戸締具により戸締側端部に移動完了して停止した作用図
【図８】（Ａ）は引戸用ガイド走行体により可動案内部が戸開き側に移動するしようとする作用図
（Ｂ）は引戸用ガイド走行体により可動案内部が固定用案内面に到達した作用図
（Ｃ）は引戸用ガイド走行体により可動案内部が固定用案内面で仮停止状態となった作用図
【図９】（Ａ）は本発明の戸締装置が装着された引戸装置の縦断側面図
（Ｂ）は本発明の戸締装置が装着された引戸装置の正面図
【符号の説明】
Ａ…戸締具
Ａ２  …可動案内部
Ａ１  …固定本体部
１…固定ベース
１ａ…平坦状案内面
１ｂ…固定用案内面
１ｃ…円弧状案内面
２ｂ…固定ストッパ
３…弾性部材
５…係止部
５ｂ１  …円弧状窪み部
６…押圧部
８…案内部材
８ａ…軸部
８ｂ…被係止部
８ｄ…可動ストッパ
【図１】
2004176262.tif 000003
【図２】
2004176262.tif 000004
【図３】
2004176262.tif 000005
【図４】
2004176262.tif 000006
【図５】
2004176262.tif 000007
【図６】
2004176262.tif 000008
【図７】
2004176262.tif 000009
【図８】
2004176262.tif 000010
【図９】
2004176262.tif 000011